【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
メイン制御ループと、補助変調ループとを備え、所望のアナログ角度変調信号を出力する変調回路であって、
当該変調回路は、デジタル角度変調信号を入力信号として受け取り、
前記メイン制御ループは、
制御発振器と、
前記デジタル角度変調信号と、搬送波信号とをデジタル合成して、第１のビットストリームを生成するデジタル合成器と、
前記制御発振器から出力された前記アナログ角度変調信号を帰還信号として受け取り、第２のビットストリームに変換するアナログ−デジタル変換器と、
前記第１のビットストリームと、前記第２のビットストリームとに基づいて、前記第１のビットストリームと前記第２のビットストリームとの誤差信号である出力ビットストリームを生成する差異論理回路と、
前記出力ビットストリームに基づいて、前記デジタル角度変調信号と前記アナログ角度変調信号との、位相差異量または周波数差異量を検出する制御回路とを含み、
前記補助変調ループは、
前記出力ビットストリームをフィルタリングするゲート回路と、
前記フィルタリングされた出力ビットストリームに基づいて利得パラメータを算出するアキュムレータと、
前記利得パラメータに基づいて、前記デジタル角度変調信号の利得を、リアルタイムで調整し、較正変調信号として出力する乗算器とを含み、
前記制御発振器は、前記位相差異量または前記周波数差異量と、前記較正変調信号とに基づいて、所望の前記アナログ角度変調信号を出力する、変調回路。
【請求項２】
前記メイン制御ループは、
加算器と、
抵抗およびキャパシタとをさらに含み、
前記較正変調信号は、
前記位相差異量または前記周波数差異量と、前記加算器において加算され、前記抵抗を介して、第１の駆動信号として、前記制御発振器に入力されるとともに、
前記キャパシタを介して、第２の駆動信号として、前記制御発振器に入力され、
前記制御発振器は、前記第１の駆動信号と前記第２の駆動信号とに基づいて、所望の前記アナログ角度変調信号を出力する、請求項１に記載の変調回路。
【請求項３】
前記制御回路は、前記出力ビットストリームに基づいて検出した、前記位相差異量または周波数差異量を、アナログ信号として出力する、請求項１または２に記載の変調回路。
【請求項４】
前記アキュムレータは、前記フィルタリングされた出力ビットストリームを、修正された誤差信号として蓄積し、当該修正され蓄積された誤差信号に基づいて、前記利得パラメータを算出する、請求項１−３のいずれかに記載の変調回路。
【請求項５】
前記ゲート回路が排他的ＯＲゲートを含む、請求項１−４のいずれかに記載の変調回路。
【請求項６】
前記ゲート回路がＡＮＤゲートを含む、請求項１−４のいずれかに記載の変調回路。
【請求項７】
前記アキュムレータが、前記誤差信号が、前記第１のビットストリームと前記第２のビットストリームとの誤差がないことを表す状態に向かって収束する速度を調整するように構成されている、請求項１−４のいずれかに記載の変調回路。
【請求項８】
前記ゲート回路が、前記出力ビットストリームが表す、第１のビットストリームと前記第２のビットストリームとの誤差量の大きさの絶対値を計算し、当該絶対値を利用して、前記利得パラメータを算出する、請求項１−４のいずれかに記載の変調回路。
【請求項９】
前記ゲート回路が、制限回路とＦＩＲ（有限入力応答）フィルタとを含む、請求項１−４のいずれかに記載の変調回路。
【請求項１０】
制御発振器を駆動して、所望のアナログ角度変調信号を生成する方法であって、
デジタル角度変調信号を入力信号として受け取るステップと、
前記デジタル角度変調信号と、搬送波信号とをデジタル合成して、第１のビットストリームを生成するステップと、
制御発振器から出力された前記アナログ角度変調信号を帰還信号として受け取り、第２のビットストリームに変換するステップと、
前記第１のビットストリームと、前記第２のビットストリームとに基づいて、前記第１のビットストリームと前記第２のビットストリームとのビット比較結果を表す信号である出力ビットストリームを生成するステップと、
前記出力ビットストリームに基づいて、前記デジタル角度変調信号と前記アナログ角度変調信号との、位相差異量または周波数差異量を取り出すステップと、
前記出力ビットストリームをフィルタリングするステップと、
当該フィルタリングされた出力ビットストリームに基づいて利得パラメータを算出するステップと、
前記利得パラメータに基づいて、前記デジタル角度変調信号の利得をリアルタイムで調整し、較正変調信号として出力するステップと、
前記位相差異量または前記周波数差異量と、前記較正変調信号とに基づいて、前記制御発振器を駆動して、所望の前記アナログ角度変調信号を生成するステップとを含む、方法。
【手続補正２】
【補正対象書類名】明細書
【補正対象項目名】００２９
【補正方法】変更
【補正の内容】
【００２９】
図３に示すように、周波数定数ブロック１１４は搬送波信号を表す。変調は角度／位相変調生成器１１２によって行われ、加算回路１１６を介して搬送波信号に追加され、所望の入力信号が生成される。デジタル合成器１１８は、所望の入力信号を数値ストリームである所望の入力信号Ｓに変換する。Ｋ１ブロック１２０及びＫ２／ｓブロック１２２はデジタルフィルタとして作用する。Ｋ１ブロック１２０からの信号は周波数誤差であり、Ｋ２／ｓブロック１２２からの信号は位相誤差である。誤差信号Δはゲート１４４にも送られ、ゲート１４４は修正された誤差信号Δ’をアキュムレータ１５０に供給する。ＦＳ乗算器１４０及びシグマ−デルタＤＡＣ１２６は図１と同様に作用する。抵抗器及びキャパシタの構成は一例であり、他の実施形態も取り得る。図３のデュアルパス角度変調器１００は図１の構成を修正したものであり、利得パラメータＭＳが外部プロセスの必要なく、常に変化する状態で自動的に決定されるようになっている。ＭＳ乗算器１３８は、アキュムレータ１５０からの利得パラメータＭＳを受け取り、補助変調ループのフォワードパス内での変調を較正する。利得パラメータＭＳは、メイン制御ループの利得にも影響を与える。なぜならＭＳ乗算器１３８からの較正された変調信号出力がＦＳ乗算器１４０への入力として用いられるからである。
【手続補正３】
【補正対象書類名】明細書
【補正対象項目名】００４６
【補正方法】変更
【補正の内容】
【００４６】
ＦＩＲフィルタ２４６を用いると、誤差信号ΔのサンプルがＦＩＲ構造を用いてフィルタリングされ、デジタル信号処理を行うブロック動作が可能となる。信号Ｓ及びＭに用いられた波形のΣΔ特性により、最初に誤差信号Δをフィルタリングすることは自然な選択である。アキュムレータ１５０は制限回路２４４及びＦＩＲフィルタ２４６を用いて以下の式によりＭＳ値を決定する。
N-1
連続動作          ＭＳj+1＝ＭＳj＋αΣ Δj-iｈi
i=0
N-1
ブロック動作      ＭＳj+1＝ＭＳj＋αΣ ΔＥn-iｈi
i=0
連続動作とは、連続データストリームの処理を意味する。ブロック動作とは、ブロックデータの処理を意味する。
【手続補正４】
【補正対象書類名】明細書
【補正対象項目名】００４８
【補正方法】変更
【補正の内容】
【００４８】
別の実施形態では、ＦＩＲフィルタ２４６の代わりに無限入力応答（ＩＩＲ）フィルタが用いられる。ＩＩＲフィルタを用いると、誤差信号ΔはＩＩＲ構造を用いてフィルタリングされる。ＩＩＲ構造で用いられるフィードバックは、ブロック動作を用いないほうがいいことを示唆する。アキュムレータ１５０は制限回路／ＩＩＲフィルタを用いて以下の式によりＭＳ値を決定する。
N-1  N-1
ＭＳj+1＝ＭＳj＋αΣ Δj-iｂi／Σ Δj-iｃi
i=0  i=0
【手続補正５】
【補正対象書類名】明細書
【補正対象項目名】００５０
【補正方法】変更
【補正の内容】
【００５０】
信号関数Ｆ（Ｓj）は、線形較正Ｆ（Ｓj）＝βＳj、指数関数非線形Ｆ（Ｓj）＝Ｓjn
等である可能性がある。関数ｇ（Δ）jは、特定のＬＭＳアルゴリズムに依存する汎用伝
達関数である。
【手続補正６】
【補正対象書類名】図面
【補正対象項目名】図３
【補正方法】変更
【補正の内容】
【図３】
2009516397.tif 000001
【手続補正７】
【補正対象書類名】図面
【補正対象項目名】図６
【補正方法】変更
【補正の内容】
【図６】
2009516397.tif 000002